(57)【要約】  【課題】  表示装置の画面前面に保護板を取り付けても、表示パネル部の発熱を効率よく排出して、表示パネルの温度上昇を抑える。  【解決手段】  表示パネルの外周部を前キャビネット３により支持した表示装置２において、前記前キャビネット３の外周部と略同一の外形をして前キャビネット３部分に当接される透明材質からなる保護板１と、保護板１の裏面左右端部であって前記前キャビネット３との当接部に貼着された板材４と、前記保護板１の裏面上下端部であって前記前キャビネット３との当接部に適間隔をおいて不連続に貼着された板材５と、上下それぞれの板材５の間に形成された空気通路６と、前記保護板１の外周部を前記前キャビネット３に取り付ける取付金具７とを備える。【選択図】  図４
2005191788.tif 000002
【特許請求の範囲】
【請求項１】
表示パネルの外周部を前キャビネットにより支持した表示装置において、
透明保護板をその上下端部で前キャビネットとの間に隙間ができるように前キャビネットに取り付けたことを特徴とする表示装置。
【請求項２】
表示パネルの外周部を前キャビネットにより支持した表示装置において、
前記前キャビネットの外周部と略同一の外形をして前キャビネット部分に当接される透明材質からなる保護板と、
該保護板の裏面左右端部であって前記前キャビネットとの当接部に形成された上下方向肉厚部と、
前記保護板の裏面上下端部であって前記前キャビネットとの当接部に適間隔をおいて不連続に形成された左右方向肉厚部と、
該上下それぞれの左右方向肉厚部の間に形成された空気通路と、
前記保護板の外周部を前記前キャビネットに取り付ける固着手段と、
を備えたことを特徴とする表示装置。
【請求項３】
請求項２に記載の表示装置において、
前記上下方向肉厚部および前記左右方向肉厚部を板材により形成して前記保護板に貼り合わせたことを特徴とする表示装置。
【請求項４】
請求項２に記載の表示装置において、
前記上下方向肉厚部および前記左右方向肉厚部を前記保護板と一体構造により形成したことを特徴とする表示装置。
【請求項５】
請求項２乃至４のいずれかに記載の表示装置において、
前記上下方向肉厚部および前記左右方向肉厚部に相当する前記保護板の表面外周部に熱輻射性の高い塗料を用いてマスキング塗装を施したことを特徴とする表示装置。
【請求項６】
請求項２乃至５のいずれかに記載の表示装置において、
前記固着手段としてビスを用いたことを特徴とする表示装置。
【請求項７】
請求項２乃至５のいずれかに記載の表示装置において、
前記固着手段として接着剤を用いたことを特徴とする表示装置。
【請求項８】
請求項２乃至５のいずれかに記載の表示装置において、
前記固着手段として磁石を用いたことを特徴とする表示装置。
【請求項９】
請求項２乃至５のいずれかに記載の表示装置において、
前記固着手段として両面テープを用いたことを特徴とする表示装置。
【請求項１０】
請求項２乃至５のいずれかに記載の表示装置において、
前キャビネットの背面に後キャビネットが連続する場合に、前記固着手段として断面７字形の金具とビスを用いて前記保護板を後キャビネットに取り付けたことを特徴とする表示装置。
【請求項１１】
請求項２乃至１０のいずれかに記載の表示装置において、
前記空気通路にエアフィルタを嵌着したことを特徴とする表示装置。
【請求項１２】
請求項２乃至１１のいずれかに記載の表示装置において、
前記保護板と前記表示パネルとの間の隙間が上部が薄く下部が厚くなるように前記上下方向肉厚部および前記左右方向肉厚部の厚みを連続的に変化させたことを特徴とする表示装置。
【発明の詳細な説明】
【技術分野】
【０００１】
本発明は平面型表示装置に関し、詳しくは表示パネルの前面に表示パネルを保護する保護板を取り付けた表示装置に関する。
【背景技術】
【０００２】
大型の液晶テレビは薄型であるため家庭用として普及しつつあるが、業務用としても店頭や街頭でのデモンストレーション用として用いられることがある。店頭や街頭で使用する場合は、その視聴者は一般大衆、不特定多数の人々である。そのため一部例外的な不心得者により、テレビ画面が傘の先等で突つかれることがあった。傘の先のように金属で硬いもので突かれると、画面を構成する液晶パネルが容易に破損されてしまい、修復することができず、テレビ全体を交換しなければならなくなる。その対策として、テレビ画面の前面に透明アクリル板等からなる保護板を取り付けることが試みられている。その一例として、特許文献１に記載の液晶装置がある。この液晶装置は、液晶パネル１Ａと、液晶パネル１Ａの表示面を保護する保護板１との間に形成される空間に、その屈折率が保護板１及び液晶パネル１Ａの基板５の屈折率とほぼ同じである媒質（液体）１０を封入する構成であるため、構成そのものが複雑となりコストも高くなるものである。
【特許文献１】特開平０９−２４４００５号公報
【発明の開示】
【発明が解決しようとする課題】
【０００３】
テレビ画面の前面に保護板を取り付けることにより、不測の衝撃により表示パネルが破損されることを防ぐことが可能になるが、その反面、保護板を取り付けたことで、表示パネルの前面が密閉され、表示パネルの発熱すなわちバックライト側の発熱がその前面から排出されずにその密閉空間にこもるという問題が発生した。表示パネルの前面の密閉空間の温度が上昇すると、表示パネル自体の温度も上昇してその表示特性が劣化することになるので、温度上昇はどうしても避けなければならない問題であった。そこで本発明は、画面前面に保護板を取り付けても、表示パネル部の発熱を効率よく排出して、表示パネルの温度上昇を抑えることのできる表示装置を提供することを目的とした。
【課題を解決するための手段】
【０００４】
上記課題を解決するために、本発明は、表示パネルの外周部を前キャビネットにより支持した表示装置において、透明保護板をその上下端部で前キャビネットとの間に隙間ができるように前キャビネットに取り付けたことを特徴とする。詳しくは、表示パネルの外周部を前キャビネットにより支持した表示装置において、前記前キャビネットの外周部と略同一の外形をして前キャビネット部分に当接される透明材質からなる保護板と、該保護板の裏面左右端部であって前記前キャビネットとの当接部に形成された上下方向肉厚部と、前記保護板の裏面上下端部であって前記前キャビネットとの当接部に適間隔をおいて不連続に形成された左右方向肉厚部と、該上下それぞれの左右方向肉厚部の間に形成された空気通路と、前記保護板の外周部を前記前キャビネットに取り付ける固着手段とを備える。
【０００５】
ここで、前記上下方向肉厚部および前記左右方向肉厚部は、板材により形成して前記保護板に貼り合わせるようにしてもよいし、前記上下方向肉厚部および前記左右方向肉厚部を前記保護板と一体構造により形成してもよい。また、前記上下方向肉厚部および前記左右方向肉厚部に相当する前記保護板の表面外周部に熱輻射性の高い塗料を用いてマスキング塗装を施すことが好ましい。また、前記固着手段としては、ビス、接着剤、磁石、両面テープを用いることができる。さらに、前キャビネットの背面に後キャビネットが連続する場合は、前記固着手段として断面７字形の金具とビスを用いて前記保護板を後キャビネットに取り付けることができる。また、前記空気通路にエアフィルタを嵌着することも可能である。さらに、前記保護板と前記表示パネルとの間の隙間が上部が薄く下部が厚くなるように前記上下方向肉厚部および前記左右方向肉厚部の厚みを連続的に変化させることも可能である。
【発明の効果】
【０００６】
以上述べたように本発明によれば、透明な保護板を表示装置の前キャビネットに取り付けるとともにその上下端部で前キャビネットとの間に空気通路を形成したことで、保護板と表示パネルに挟まれた空間の空気は表示パネルにより暖められ、対流により上昇して上の空気通路を通過して排出される。同時に、排出された分と同量の空気が下の空気通路から吸入される。このとき、上下の空気通路では煙突効果により通過する空気が加速されるため、対流が促進されることになり、表示パネルに発生した熱が効率よく排出されて表示パネルの温度が過度に上昇することが防止できる。
【発明を実施するための最良の形態】
【０００７】
以下、図に基づいて本発明の実施形態を説明する。
図１は画面が横長の液晶テレビ等の表示装置に取り付けられる保護板を示す正面図であり、図２は図１の上面図である。図３は横長の表示装置に図１の保護板を取り付けた状態の正面図であり、図４は図３の上面図である。これらの図に示されるように、保護板１は、横長の表示装置２の前キャビネット３の外周部と略同一外形の長方形からなり、透明なアクリル板等により形成されている。保護板１の裏面には、表示装置２の外周部すなわち前キャビネット３に相対する部分にハッチングで示された板材４，５が貼着されている。
【０００８】
上下方向肉厚部であるところの板材４は、保護板１の裏面の左右端部に貼着されている。左右方向肉厚部であるところの板材５は、保護板１の裏面の上下端部に、上下方向に、その幅と略同一の間隔をおいて貼着されている。隣り合う板材５と板材５の間には、空気通路６が形成される。また、保護板１の表面の板材４，５に相当する部分すなわち前キャビネット３の位置に相対する額縁状の部分には、熱輻射性の高い塗料例えば黒色ラッカー等を用いて、板材４，５が見えないようにマスキング塗装Ｍが施されている。
【０００９】
このように構成された保護板１は、図３および図４のように表示装置２に取り付けられる。すなわち、板材４，５部分を前キャビネット３に当接させた後、左右両端部に断面７字形をした取付金具７を用いて保護板１の端部と後キャビネット８とを挟みこみ、ビス９により取付金具７を後キャビネット８に固定する。なお、取付金具７と保護板１は接着により固定されている。こうして、保護板１が表示装置２に取り付けられると、前キャビネット３に囲まれた表示パネルの部分は、左右部分が板材４により塞がれるが、上下部分は板材５の間に形成された空気通路６により外部に連通される。また、図示しないが、空気通路６にはエアフィルタが取り付けられて、ゴミ等が侵入しないようにしている。
【００１０】
この状態で表示装置２に電源が投入されて表示パネルが点灯されると、表示パネルの温度が上昇して、保護板１に囲まれた空間の空気が加熱されて上昇を開始する。上昇した空気は、上部の空気通路６を通過して外部へ排出される。同時に、排出された空気と同量の空気が下部の空気通路６を介して流入されて、対流による換気が行われる。このとき、上下の空気通路６では煙突効果により通過する空気が加速されるため、対流が促進されることになり、表示パネルに発生した熱が効率よく排出されて表示パネルの温度が過度に上昇することが防止できる。
【００１１】
次に他の実施形態を説明する。
図５は画面が縦長の液晶テレビ等の表示装置に取り付けられる保護板を示す正面図であり、図６は図５の上面図である。図７は縦長の表示装置に図５の保護板を取り付けた状態の正面図であり、図８は図７の上面図である。これらの図に示されるように、保護板１１は、縦長の表示装置１２の前キャビネット１３の外周部と略同一外形の長方形からなり、透明なアクリル板等により形成されている。保護板１１の裏面には、表示装置１２の外周部すなわち前キャビネット１３に相対する部分にハッチングで示された板材１４，１５が貼着されている。
【００１２】
上下方向肉厚部であるところの板材１４は、保護板１１の裏面の左右端部に貼着されている。左右方向肉厚部であるところの板材１５は、保護板１１の裏面の上下端部に、上下方向に、その幅と略同一の間隔をおいて貼着されている。隣り合う板材１５と板材１５の間には、空気通路１６が形成される。また、保護板１１の表面の板材１４，１５に相当する部分すなわち前キャビネット１３の位置に相対する額縁状の部分には、熱輻射性の高い塗料例えば黒色ラッカー等を用いて、板材１４，１５が見えないようにマスキング塗装Ｍが施されている。
【００１３】
このように構成された保護板１１は、図７および図８のように表示装置１２に取り付けられる。すなわち、板材１４，１５部分を前キャビネット１３に当接させた後、左右両端部に断面７字形をした取付金具１７を用いて保護板１１の端部と後キャビネット１８とを挟みこみ、ビス１９により取付金具１７を後キャビネット１８に固定する。なお、取付金具１７と保護板１１は接着により固定されている。こうして、保護板１１が表示装置１２に取り付けられると、前キャビネット１３に囲まれた表示パネルの部分は、左右部分が板材１４により塞がれるが、上下部分は板材１５の間に形成された空気通路１６により外部に連通される。また、図示しないが、空気通路１６にはエアフィルタが取り付けられて、ゴミ等が侵入しないようにしている。
【００１４】
この状態で表示装置１２に電源が投入されて表示パネルが点灯されると、表示パネルの温度が上昇して、保護板１１に囲まれた空間の空気が加熱されて上昇を開始する。上昇した空気は、上部の空気通路１６を通過して外部へ排出される。同時に、排出された空気と同量の空気が下部の空気通路１６を介して流入されて、対流による換気が行われる。このとき、上下の空気通路１６では煙突効果により通過する空気が加速されるため、対流が促進されることになり、表示パネルに発生した熱が効率よく排出されて表示パネルの温度が過度に上昇することが防止できる。
【００１５】
なお、上述した実施形態では、空気通路６，１６を形成するため、保護板１，１１に板材４，５，１４，１５を貼着していたが、保護板と板材を一体成形することも可能である。また、保護板１，１１を表示装置２，１２に固定するため、取付金具７，１７を用いたが、他の方法として、取付金具を用いずに、保護板を表示装置に直接ビスで固定したり、接着剤、磁石、両面テープを用いて固定することも可能である。また、空気通路６，１６の煙突効果を高めるために、上の空気通路６，１６の厚みを薄くし、下の空気通路６，１６の厚みを厚くすることも可能であり、そのためには、板材４，５，１４，１５を下から上に行くに従い薄くなるように連続的に厚みを変化させる。また、保護板１，１１の表面にＡＲコートを施すことも可能である。
【産業上の利用可能性】
【００１６】
本発明は、平面型表示装置、特に液晶表示パネル、ＰＤＰ（プラズマディスプレイパネル）、ＥＬ（エレクトロルミネッセンス）表示パネル等の平面型表示パネルを用いた表示装置やＣＲＴ表示装置等にも利用可能である。
【図面の簡単な説明】
【００１７】
【図１】画面が横長の表示装置に取り付けられる保護板を示す正面図である。
【図２】図１の上面図である。
【図３】画面が横長の表示装置に図１の保護板を取り付けた状態の正面図である。
【図４】図３の上面図である。
【図５】画面が縦長の表示装置に取り付けられる保護板を示す正面図である。
【図６】図５の上面図である。
【図７】画面が縦長の表示装置に図５の保護板を取り付けた状態の正面図である。
【図８】図７の上面図である。
【符号の説明】
【００１８】
１  保護板
２  表示装置
３  前キャビネット
４，５  板材
６  空気通路
７  取付金具
８  後キャビネット
９  ビス
１１  保護板
１２  表示装置
１３  前キャビネット
１４，１５  板材
１６  空気通路
１７  取付金具
１８  後キャビネット
１９  ビス
Ｍ  マスキング塗装
【図１】
2005191788.tif 000003
【図２】
2005191788.tif 000004
【図３】
2005191788.tif 000005
【図４】
2005191788.tif 000006
【図５】
2005191788.tif 000007
【図６】
2005191788.tif 000008
【図７】
2005191788.tif 000009
【図８】
2005191788.tif 000010